(57)【要約】【課題】配線接続又は配線チェック作業を支援する。【解決手段】実施形態に係る配線支援システム１は、それぞれが配線作業単位に対応しており端子及び配線識別情報を含む複数の作業データ１８を記憶する第１の記憶手段５ｂと、配線作業単位で複数の作業データ１８を順次表示する表示手段１３と、それぞれが配線作業単位に対応しており表示手段１３によって表示された作業データ１８に対する配線作業の結果と配線識別情報とを含む複数の作業結果データ２０を順次生成する生成手段１４と、生成手段１４によって生成された複数の作業結果データ２０を記憶する第２の記憶手段５ｃと、第２の記憶手段５ｃに記憶されている作業結果データ２０を出力する出力手段１０とを具備する。【選択図】      図１
2012059150.tif 000002
【特許請求の範囲】
【請求項１】
それぞれが配線作業単位に対応しており端子及び配線識別情報を含む複数の作業データを記憶する第１の記憶手段と、
前記複数の作業データを前記配線作業単位で順次表示する表示手段と、
それぞれが前記配線作業単位に対応しており前記表示手段によって表示された前記作業データに対する配線作業の結果と前記配線識別情報とを含む複数の作業結果データを順次生成する生成手段と、
前記生成手段によって生成された前記複数の作業結果データを記憶する第２の記憶手段と、
前記第２の記憶手段に記憶されている作業結果データを出力する出力手段と
を具備する配線支援システム。
【請求項２】
前記作業データ及び前記作業結果データは、一配線単位で生成されている
ことを特徴とする請求項１記載の配線支援システム。
【請求項３】
前記第１の記憶手段と、前記第２の記憶手段と、前記出力手段とを含む管理装置と、
前記表示手段と、前記生成手段とを含む携帯型端末と
をさらに具備し、
前記管理装置は、前記作業データを前記携帯型端末に送信し、
前記携帯型端末は、前記表示された作業データに対する前記作業結果を受け付けて前記作業結果データを生成し、前記作業結果データを前記管理装置に送信し、
前記配線作業単位は、配線接続を行う一単位又は配線チェックを行う一単位である
ことを特徴とする請求項１又は請求項２記載の配線支援システム。
【請求項４】
前記携帯型端末は、配線に付されている前記配線識別情報のリーダ又はカメラをさらに具備し、
前記生成手段は、前記リーダ又はカメラによって入力された前記配線識別情報に基づいて、前記作業結果データを生成する
ことを特徴とする請求項１乃至請求項３のいずれか１項に記載の配線支援システム。
【請求項５】
それぞれが配線作業単位に対応しており端子及び配線識別情報を含む複数の作業データを、第１の記憶手段に記憶し、
前記複数の作業データを前記配線作業単位で表示手段に順次表示し、
それぞれが前記配線作業単位に対応しており前記表示手段によって表示された前記作業データに対する配線作業の結果と前記配線識別情報とを含む複数の作業結果データを順次生成し、
生成された前記複数の作業結果データを、第２の記憶手段に記憶し、
前記第２の記憶手段に記憶されている作業結果データを出力手段によって出力する
ことを特徴とする配線支援方法。
【発明の詳細な説明】
【技術分野】
【０００１】
本発明の実施形態は、配線接続作業又は配線チェック作業を支援する配線支援システム及び方法に関する。
【背景技術】
【０００２】
従来の配電盤などの配線接続作業においては、作業者が配線図を確認しながら配線を行っていた。
【０００３】
また、配線後に配線結果をチェックする場合、作業者は配線接続作業に用いた配線図を確認しながら、塗りつぶしチェックを行っていた。
【０００４】
このような従来の配線作業においては、配線図に基づいて人間が配線作業を行うため、配線図の見誤り又は誤認識などにより配線接続ミス又は配線チェックミスが生じる場合がある。
【０００５】
また、塗りつぶしチェックは、作業者のスキルによって作業の速度と精度に差が生じる。
【０００６】
さらに、配線図又は配線チェック結果の書類は膨大な量となり、保存に膨大なスペースが必要になる場合がある。
【先行技術文献】
【特許文献】
【０００７】
【特許文献１】特開平１０−１１６３０４号公報
【発明の概要】
【発明が解決しようとする課題】
【０００８】
本発明の実施形態は、配線接続作業又は配線チェック作業の効率化を実現する配線支援システム及び方法を提供することを目的とする。
【課題を解決するための手段】
【０００９】
実施形態によれば、配線支援システムは、第１の記憶手段、表示手段、生成手段、第２の記憶手段、出力手段を具備する。第１の記憶手段は、それぞれが配線作業単位に対応しており端子及び配線識別情報を含む複数の作業データ、を記憶する。表示手段は、複数の作業データを配線作業単位で順次表示する。生成手段は、それぞれが配線作業単位に対応しており表示手段によって表示された作業データに対する配線作業の結果と配線識別情報とを含む複数の作業結果データ、を順次生成する。第２の記憶手段は、生成手段によって生成された複数の作業結果データを記憶する。出力手段は、第２の記憶手段に記憶されている作業結果データを出力する。
【図面の簡単な説明】
【００１０】
【図１】第１の実施形態に係る配線支援システムの構成の一例を示すブロック図。
【図２】第１の実施形態に係る配線支援システムの一例を示す模式図。
【図３】第１の実施形態に係る配線支援システムの処理の一例を示すフローチャート。
【発明を実施するための形態】
【００１１】
以下、図面を参照しながら本発明の各実施の形態について説明する。なお、以下の説明において、略または実質的に同一の機能及び構成要素については、同一符号を付し、必要に応じて説明を行う。
【００１２】
（第１の実施形態）
図１は、本実施形態に係る配線支援システムの構成の一例を示すブロック図である。
【００１３】
図２は、本実施形態に係る配線支援システムの一例を示す模式図である。
【００１４】
本実施形態に係る配線支援システム１は、管理装置２と、携帯型端末３とを具備する。管理装置２と携帯型端末３との間は、ネットワーク４で送受信可能に接続されている。
【００１５】
管理装置２は、記憶部５ａ〜５ｃ、接続データ生成部６、送信部７、受信部８、登録部９、出力部１０を具備する。
【００１６】
携帯型端末３は、受信部１１、作業メモリ１２、表示部１３、操作生成部１４、送信部１５を具備する。
【００１７】
記憶部５ａは、配線図データ１６を記憶する。配線図データ１６は、配線図を電子化したデータである。
【００１８】
接続データ生成部６は、記憶部５ａに記憶されている配線図データ１６に対して画像認識処理などを実行し、配線図データ１６で特定されている配線ごとの端子（端子識別情報）及び線番号（配線識別情報）を認識する。
【００１９】
そして、接続データ生成部６は、各配線の端子及び線番号を含む接続データ１７を生成し、接続データ１７を記憶部５ｂに記憶する。
【００２０】
なお、本実施形態では、線番号を用いているが、線番号に代えて配線を識別するための他の情報が用いられるとしてもよい。
【００２１】
送信部７は、作業者による配線作業の進行に応じて、記憶部５ｂに記憶されている接続データ１７の中から、配線作業単位に対応する配線の端子及び線番号を含む作業データ１８を抽出し、作業データ１８をネットワーク４経由で携帯型端末３に送信する。
【００２２】
本実施形態において、配線作業は、配線接続作業であるとする。しかしながら、配線作業は、例えば配線後の配線チェック作業などのような他の作業であるとしてもよい。
【００２３】
また、本実施形態において、配線作業単位は、配線１本分であるとする。しかしながら、配線作業単位は人間が精度高く作業可能であれば２配線以上であるとしてもよい。
【００２４】
例えば、送信部７は、接続データ１７を参照して第１の作業データを生成・送信し、この第１の作業データに対応する携帯型端末３からの作業結果データが受信部８によって受信されると、接続データ１８を参照して次の作業データを生成・送信し、すべての作業データが送信されるまでこの動作を繰り返す。これにより、配線作業の進行に応じた作業データの送信が実行される。
【００２５】
携帯型端末３の受信部１１は、管理装置２からネットワーク４経由で作業データ１８を受信し、作業データ１８を作業メモリ１２に記憶する。
【００２６】
作業メモリ１２は、携帯型端末３における各種処理に利用される記憶装置である。
【００２７】
操作生成部１４は、作業者からの各種の操作、指示などを受け付け、この作業者の操作、指示に応じて、作業に関わる各種の制御を実行する。
【００２８】
例えば、操作生成部１４は、作業者から作業データ１８の表示命令を受け、この表示命令を表示部１３に送る。
【００２９】
また、例えば、操作生成部１４は、表示部１３によって表示された作業データ１８に対応する配線作業結果（配線接続結果）１９を作業者から受け、作業データ１８と配線作業結果１９とを関連付けた作業結果データ２０を生成し、作業結果データ２０を作業メモリ１２に記憶する。
【００３０】
また、例えば、操作生成部１４は、作業者から作業メモリ１２の作業結果データ２０の送信命令を受け、この送信命令を送信部１５に送り、作業結果データ２０が送信された後に、作業メモリ１２の送信された作業結果データ２０を消去する。
【００３１】
表示部１３は、操作生成部１４からの表示命令に応じて、作業メモリ１２に記憶されている作業データ１８を配線作業単位で表示する。これにより、作業者は、配線作業単位の配線に関する作業データ１８を見ることができ、この作業データ１８に基づいて配線接続作業を行うことができる。
【００３２】
携帯型端末３の送信部１５は、操作生成部１４からの送信命令に応じて、作業メモリ１２に記憶されている作業結果データ２０を、ネットワーク４経由で管理装置２に送信する。
【００３３】
本実施形態においては、配線作業単位ごとに作業結果データ２０が管理装置２に送信される。
【００３４】
管理装置２の受信部８は、携帯型端末３からネットワーク４経由で作業結果データ２０を受信し、登録部９に作業結果データ２０を送る。
【００３５】
また、受信部８は、作業結果データ２０を受信した場合に、受信通知を管理装置２の送信部７に送る。これにより、送信部７によって次の作業データが携帯型端末３に送信される。
【００３６】
登録部９は、受信された作業結果データ２０を記憶部５ｃの配線履歴データ２１に登録する。
【００３７】
出力部１０は、管理装置２のオペレータの命令に応じて、配線履歴データ２１を出力する。例えば、出力部１０は、配線作業単位の配線接続結果のリストを印刷又は表示する。
【００３８】
図３は、本実施形態に係る配線支援システム１の処理の一例を示すフローチャートである。
【００３９】
ステップＳ１において、管理装置２の接続データ生成部６は、配線図データ１６に基づいて、接続データ１７を生成する。
【００４０】
ステップＳ２において、管理装置２の送信部６は、接続データ１７の中から、配線作業単位に対応する作業データ１８を抽出し、携帯型端末３に送信する。
【００４１】
ステップＳ３において、携帯型端末３の受信部１１は、作業データ１８を受信する。
【００４２】
ステップＳ４において、携帯型端末３の表示部１３は、作業データ１８を表示する。
【００４３】
ステップＳ５において、携帯型端末３の操作生成部１４は、表示された作業データに対応する配線接続作業の結果（例えば配線終了）を受け付け、作業データ１８とその配線作業結果１９とを含む一配線に対応する作業結果データ２０を生成する。
【００４４】
ステップＳ６において、携帯型端末３の送信部１５は、作業結果データ２０を、管理装置２に送信する。
【００４５】
ステップＳ７において、管理装置２の受信部８は、作業結果データ２０を受信し、次の作業データの送信命令を送信部７に送る。
【００４６】
ステップＳ８において、管理装置２の登録部９は、配線履歴データ２１に作業結果データ２０を登録する。
【００４７】
ステップＳ９において、管理装置２の送信部７は、接続データ１７に含まれているすべての作業データが携帯型端末３に送信されたか否か判断する。
【００４８】
すべての作業データが携帯型端末３に送信された場合、処理は、ステップＳ１０に移動する。
【００４９】
すべての作業データが携帯型端末に送信されていない場合、処理は、ステップＳ２に戻る。
【００５０】
ステップＳ１０において、管理装置２の出力部１０は、配線履歴データ２１の内容を出力する。
【００５１】
以上説明した本実施形態において、管理装置２は、配線図データ１６から接続データ１７を生成し、接続データ１７の中から配線作業単位の作業データ１８を抽出し、携帯型端末３に送信する。携帯型端末３は、作業データ１８を受信し、表示する。作業者は、作業データ１８を見て１配線の配線接続を行う。携帯型端末３は、１配線の配線接続後に、この配線に対する配線接続結果を含む作業結果データ２０を管理装置２に送信する。管理装置２は、各配線に対する配線接続結果を含む配線履歴データ２１を記憶する。
【００５２】
本実施形態においては、配線図そのものを用いて配線作業が行われるのではなく、ステップ・バイ・ステップで１配線作業単位ごとに配線接続が実行される。これにより、作業者のスキルレベルに影響されることなく、配線ミスを防止することができ、配線接続の精度を一定レベル以上にすることができる。
【００５３】
本実施形態においては、正常に配線が接続されなかった部分をオペレータが認識することができ、正常に配線が接続されていない部分に対する配線作業を命令することができる。
【００５４】
さらに、本実施形態においては、配線図データ１６及び配線履歴データ２１が記憶部５ａ，５ｃに記憶されるため、配線接続結果のエビデンスの管理が容易であり、配線図及び配線接続結果の保存に膨大なスペースが必要になることを防止することができる。
【００５５】
なお、本実施形態において、各構成要素は自由に組み合わせ又は分離することができる。例えば、記憶部５ａ〜５ｃは、組み合わせてもよい。
【００５６】
（第２の実施形態）
本実施形態では、上記第１の実施形態に係る配線支援システム１と同様の構成により配線チェック作業を支援する場合について簡単に説明する。
【００５７】
携帯型端末３を持つ作業者は、表示された一配線に対応する作業データに基づいて、その配線が正しいか否かチェックし、配線チェック結果を操作生成部１４に入力する。
【００５８】
チェック結果を含む作業結果データ２０は、携帯型端末３から管理装置２に送信される。管理装置２は、配線履歴データ２１に、配線チェック結果を含む作業結果データ２０を登録する。管理装置２は、各配線に対応するチェック結果を一覧出力する。
【００５９】
本実施形態では、作業者の配線チェックを省力化することができる。管理装置２のオペレータは、配線ミスの生じている部分を出力して、修正作業を命令することができる。
【００６０】
本実施形態においては、作業者のスキルレベルに影響されることなく、配線ミスをチェックすることができ、複数の配線をまとめてチェックすることによるチェックミスを防止することができ、配線チェックの精度を一定レベル以上にすることができる。
【００６１】
本実施形態では、配線後に行われる配線のチェック工程を削減させることができる。また、配線図、配線のチェック結果のエビデンスを管理することが容易であり、配線図、配線のチェック結果の保存スペースを削減することができる。
【００６２】
なお、本実施形態において、携帯型端末３は、配線に付されている配線識別情報のリーダ（例えばバーコードリーダなど）又はカメラを具備し、チェック対象の配線に付されている配線識別情報を読み取ることで、この配線のチェック作業を行うとしてもよい。
【００６３】
（第３の実施形態）
上記第１及び第２の実施形態においては、管理装置２が配線作業単位に対応する一つの作業データを送信し、携帯型端末３が一つの作業データを受信し、表示している。
【００６４】
しかしながら、これに代えて、管理装置２は、複数の作業データをまとめて送信し、携帯端末３は、複数の作業データをまとめて受信・記憶し、表示する際に、作業データを配線作業単位ごとに順次表示するとしてもよい。
【００６５】
また、上記第１及び第２の実施形態においては、携帯型端末３が配線作業単位に対応する一つの作業結果データを送信し、管理装置２が一つの作業結果データを受信し、記憶している。
【００６６】
しかしながら、これに代えて、携帯型端末３は、複数の作業結果データをまとめて送信し、管理装置２は、複数の作業結果データをまとめて受信し、記憶するとしてもよい。
【００６７】
本実施形態においては、管理装置２と携帯型端末３との間の通信を効率化させることができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１…配線支援システム、２…管理装置、３…携帯型端末、４…ネットワーク、５ａ〜５ｃ…記憶部、６…接続データ生成部、７，１５…送信部、８，１１…受信部、９…登録部、１０…出力部、１２…作業メモリ、１３…表示部、１４…操作生成部、１６…配線図データ、１７…接続データ、１８…作業データ、１９…配線作業結果、２０…作業結果データ、２１…配線履歴データ
【図１】
2012059150.tif 000003
【図２】
2012059150.tif 000004
【図３】
2012059150.tif 000005